(57)【要約】【課題】ユーザに機能制限を感じさせずに電池寿命を長期化させる。【解決手段】電子時計１００は、第１表示部１３２と、第１表示部１３２より消費電力の低い第２表示部１３６と、第１通信部１３１と、第１通信部１３１より消費電力の低い第２通信部１３５と、第１制御部１１０と、第１制御部１１０より消費電力の低い第２制御部１２０と、ユーザの操作を取得する第１操作部１３３と、を備え、第１制御部１１０は、消費電力を抑える動作状態である電力抑制状態への移行の条件が満たされると、第２制御部１２０に電力抑制通知を送信し、第１表示部１３２での表示と第１通信部１３１での通信とを停止し、スリープ状態に移行し、第２制御部１２０又は第１操作部１３３からウェイクアップ信号を受信するとスリープ状態から通常状態へ復帰し、第１表示部１３２での表示と第１通信部１３１での通信とを開始する。【選択図】図１
2020169861.tif 000002
【特許請求の範囲】
【請求項１】
第１表示部と、
前記第１表示部より消費電力の低い第２表示部と、
第１通信部と、
前記第１通信部より消費電力の低い第２通信部と、
第１制御部と、
前記第１制御部より消費電力の低い第２制御部と、
ユーザの操作を取得すると、消費電力を抑えるスリープ状態から通常の動作状態である通常状態へ前記第１制御部を復帰させるウェイクアップ信号を送信する操作取得部と、を備え、
前記第１制御部は、
消費電力を抑える動作状態である電力抑制状態への移行の条件が満たされると、前記第２制御部に電力抑制通知を送信し、前記第１表示部での表示と前記第１通信部での通信とを停止し、前記スリープ状態に移行し、
前記第２制御部又は前記操作取得部から前記ウェイクアップ信号を受信すると前記スリープ状態から前記通常状態へ復帰し、前記第１表示部での表示と前記第１通信部での通信とを開始し、
前記第２制御部は、
前記第１制御部から前記電力抑制通知を受信すると、前記第２表示部での表示と前記第２通信部での通信とを開始し、
前記通常状態への移行の条件が満たされると、前記第１制御部に前記ウェイクアップ信号を送信し、前記第２表示部での表示と前記第２通信部での通信とを停止する、
電子機器。
【請求項２】
前記電力抑制状態への移行の条件には、所定の時間、前記操作取得部で前記操作が取得されないことが含まれる、
請求項１に記載の電子機器。
【請求項３】
前記通常状態への移行の条件には、前記第２通信部で受信した情報が電話の着信を示す情報であることが含まれる、
請求項１又は２に記載の電子機器。
【請求項４】
さらに、前記第２通信部で受信した情報の優先度を取得する優先度取得部を備え、
前記通常状態への移行の条件には、前記優先度取得部が取得した優先度が高い前記情報を前記第２通信部で受信したことが含まれる、
請求項１から３のいずれか１項に記載の電子機器。
【請求項５】
前記第２制御部は、前記第２通信部で受信した情報の優先度が高くない場合、当該情報を受信したことを示すアイコンを前記第２表示部に表示する、
請求項４に記載の電子機器。
【請求項６】
さらに、加速度を検出する加速度センサを備え、
前記通常状態への移行の条件には、前記加速度センサが検出した値が所定の動きを示していると前記第２制御部が判定したことが含まれる、
請求項１から５のいずれか１項に記載の電子機器。
【請求項７】
さらに、ユーザが前記電力抑制状態の維持を希望するか否かの設定を取得するユーザ設定取得部を備え、
前記ユーザ設定取得部で取得した前記設定が、前記電力抑制状態の維持を希望するである場合は、前記第２制御部は、前記第２通信部で受信した情報が前記通常状態への移行の条件を満たす場合でも、前記第１制御部に前記ウェイクアップ信号を送信せず、前記第２表示部での表示と前記第２通信部での通信とを維持する、
請求項１から６のいずれか１項に記載の電子機器。
【請求項８】
さらに、前記動作状態が切り替わることを振動又は音によりユーザに通知する通知部を備え、
前記第２制御部は、前記通常状態への移行の条件が満たされると、前記通知部によりユーザに通知する、
請求項１から７のいずれか１項に記載の電子機器。
【請求項９】
第１表示部と、前記第１表示部より消費電力の低い第２表示部と、第１通信部と、前記第１通信部より消費電力の低い第２通信部と、第１制御部と、前記第１制御部より消費電力の低い第２制御部と、を備える電子機器の制御方法であって、
消費電力を抑える動作状態である電力抑制状態への移行の条件が満たされると、制御の主体を前記第２制御部に切り替え、前記第１表示部での表示と前記第１通信部での通信とを停止し、前記第１制御部を消費電力を抑えるスリープ状態に移行させ、前記第２表示部での表示と前記第２通信部での通信とを開始する、電力抑制移行ステップと、
通常の動作状態である通常状態への移行の条件が満たされると、前記第１制御部を前記スリープ状態から通常の動作状態である通常状態へ復帰させて制御の主体を前記第１制御部に切り替え、前記第２表示部での表示と前記第２通信部での通信とを停止し、前記第１表示部での表示と前記第１通信部での通信とを開始する、通常状態移行ステップと、
を備える制御方法。
【請求項１０】
第１表示部と、前記第１表示部より消費電力の低い第２表示部と、第１通信部と、前記第１通信部より消費電力の低い第２通信部と、第１制御部と、前記第１制御部より消費電力の低い第２制御部と、を備える電子機器のコンピュータに、
消費電力を抑える動作状態である電力抑制状態への移行の条件が満たされると、制御の主体を前記第２制御部に切り替え、前記第１表示部での表示と前記第１通信部での通信とを停止し、前記第１制御部を消費電力を抑えるスリープ状態に移行させ、前記第２表示部での表示と前記第２通信部での通信とを開始する、電力抑制移行ステップ、及び、
通常の動作状態である通常状態への移行の条件が満たされると、前記第１制御部を前記スリープ状態から通常の動作状態である通常状態へ復帰させて制御の主体を前記第１制御部に切り替え、前記第２表示部での表示と前記第２通信部での通信とを停止し、前記第１表示部での表示と前記第１通信部での通信とを開始する、通常状態移行ステップ、
を実行させるためのプログラム。
【発明の詳細な説明】
【技術分野】
【０００１】
この発明は、電子時計等の電子機器、電子機器の制御方法及びプログラムに関する。
【背景技術】
【０００２】
スマートウォッチ等の高機能で小型の電子機器が普及してきている。高機能な電子機器は消費電力が大きく、また、電池電圧が低下すると計時機能のような基本的な機能を含め、全ての機能が停止してしまう。そこで、例えば特許文献１に開示されている電子時計では、二次電池の電圧に応じた機能制限を行うことによって基本機能（計時機能等）を長時間維持できるようにしている。
【先行技術文献】
【特許文献】
【０００３】
【特許文献１】特開２０１６−１６１３２４号公報
【発明の概要】
【発明が解決しようとする課題】
【０００４】
特許文献１に開示されている電子時計は、二次電池の電圧に応じた機能制限を行うことによって基本機能を長時間維持できるようにしている。しかし、当該電子時計は、二次電池の電圧降下が生じるまでの間は機能制限が行われずに電力を多く消費する。したがって、ユーザが基本機能以外の機能を使用しようとした時には既に二次電池の電圧降下が生じている場合も考えられ、このような場合、結局ユーザは基本機能以外の機能を使用できない。
【０００５】
本発明は、上記実情に鑑みてなされたものであり、ユーザに機能制限を感じさせずに電池寿命を長期化させることが可能な電子機器、制御方法及びプログラムを提供することを目的とする。
【課題を解決するための手段】
【０００６】
上記目的を達成するため、本発明に係る電子機器は、
第１表示部と、
前記第１表示部より消費電力の低い第２表示部と、
第１通信部と、
前記第１通信部より消費電力の低い第２通信部と、
第１制御部と、
前記第１制御部より消費電力の低い第２制御部と、
ユーザの操作を取得すると、消費電力を抑えるスリープ状態から通常の動作状態である通常状態へ前記第１制御部を復帰させるウェイクアップ信号を送信する操作取得部と、を備え、
前記第１制御部は、
消費電力を抑える動作状態である電力抑制状態への移行の条件が満たされると、前記第２制御部に電力抑制通知を送信し、前記第１表示部での表示と前記第１通信部での通信とを停止し、前記スリープ状態に移行し、
前記第２制御部又は前記操作取得部から前記ウェイクアップ信号を受信すると前記スリープ状態から前記通常状態へ復帰し、前記第１表示部での表示と前記第１通信部での通信とを開始し、
前記第２制御部は、
前記第１制御部から前記電力抑制通知を受信すると、前記第２表示部での表示と前記第２通信部での通信とを開始し、
前記通常状態への移行の条件が満たされると、前記第１制御部に前記ウェイクアップ信号を送信し、前記第２表示部での表示と前記第２通信部での通信とを停止する。
【発明の効果】
【０００７】
本発明によれば、ユーザに機能制限を感じさせずに電池寿命を長期化させることが可能になる。
【図面の簡単な説明】
【０００８】
【図１】実施形態に係る電子時計の構成例を示す図である。
【図２】実施形態に係る電子機器システムの構成例を示す図である。
【図３】実施形態に係る通常動作状態と低消費電力動作状態とを比較する図である。
【図４】実施形態に係る第１表示部と第２表示部の構造を説明する図である。
【図５】実施形態に係る低消費電力動作状態移行処理のフローチャートである。
【図６】実施形態に係る通常動作状態移行処理のフローチャートである。
【図７】実施形態に係る動作状態切替処理のフローチャートである。
【発明を実施するための形態】
【０００９】
以下、実施形態について、図面を参照して説明する。なお、図中同一または相当部分には同一符号を付す。
【００１０】
実施形態に係る電子機器の一例である電子時計１００は、図１に示すように、機能構成として、第１制御部１１０と、第２制御部１２０と、第１通信部１３１と、第１表示部１３２と、第１操作部１３３と、第２操作部１３４と、第２通信部１３５と、第２表示部１３６と、センサ部１３７と、通知部１３８と、電源制御部１４０と、電池１４１と、を備える。
【００１１】
また、第１制御部１１０は、プロセッサ１１１と、メモリ１１２と、計時回路１１３と、を備える。第１制御部１１０は、自分自身をスリープさせて電力消費を抑える機能を持つ。スリープした第１制御部１１０は、基本的には動作を停止しているが、外部から割り込み信号（ウェイクアップ信号）を受信するとスリープ状態から復帰してアクティブ状態になり、動作を開始する。
【００１２】
プロセッサ１１１は、Ａｎｄｒｏｉｄ等の高機能ＯＳ（Ｏｐｅｒａｔｉｎｇ  Ｓｙｓｔｅｍ）を実装可能な処理能力の高い（例えば動作周波数１ＧＨｚの６４ビットの）ＣＰＵ（Ｃｅｎｔｒａｌ  Ｐｒｏｃｅｓｓｉｎｇ  Ｕｎｉｔ）である。
【００１３】
メモリ１１２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等からなり、電子時計１００の全ての機能を実現するために必要となる容量の大部分をまかなうことができる容量のメモリである。なお、メモリ１１２は、第１制御部１１０の内部に限られず、第１制御部１１０の外部に設けられてもよい。
【００１４】
計時回路１１３は、電子時計１００が表示する時刻を計時する。なお、計時回路１１３は、所定の時間（例えば１秒）毎にメモリ１１２に記憶させる値を変化させるソフトウェアにより構成されてもよいし、あるいは、専用のハードウェアにより構成されてもよい。計時回路１１３が計時する時刻は、所定のタイミングからの累積時間、ＵＴＣ（Ｃｏｏｒｄｉｎａｔｅｄ  Ｕｎｉｖｅｒｓａｌ  Ｔｉｍｅ、協定世界時）、ＪＳＴ（Ｊａｐａｎ  Ｓｔａｎｄａｒｄ  Ｔｉｍｅ、日本標準時）等の各地の標準時、又は予め設定された都市の時刻（地方時）等のうち何れであってもよい。また、この計時回路１１３が計時する時刻は、必ずしも年月日時分秒の形式でなくてもよい。なお、計時回路１１３は、第１制御部１１０の内部に限られず、第１制御部１１０の外部に設けられてもよい。
【００１５】
第２制御部１２０は、プロセッサ１２１と、メモリ１２２と、電子時計１００の時刻を計時する計時回路１２３と、を備える。
【００１６】
プロセッサ１２１は、プロセッサ１１１と比較して、低機能で速度が遅い（例えば動作周波数１６ＭＨｚの１６ビットの）ＣＰＵである。そのため、プロセッサ１２１は高機能ＯＳには向かない。反面、プロセッサ１２１は、プロセッサ１１１よりも低消費電力である。また、プロセッサ１２１は、間欠動作が可能であり、例えば間欠動作により、１秒に１回ずつ短時間だけ動作させるようにすることで、プロセッサ１１１よりも格段に低消費電力で動作させることが可能である。
【００１７】
メモリ１２２は、ＲＡＭ、ＲＯＭ等からなり、プロセッサ１２１の動作に必要な容量のメモリである。なお、メモリ１２２及び計時回路１２３は、第２制御部１２０の内部に限られず、第２制御部１２０の外部に設けられてもよい。例えば、第１制御部１１０の内部のメモリ１１２の全体又は一部をメモリ１２２として第２制御部１２０から使用可能な構成にしてもよい。また、メモリ１１２もメモリ１２２も外部の同一のメモリで、その同一のメモリを第１制御部１１０と第２制御部１２０とが共用するような構成にしてもよい。
【００１８】
計時回路１２３は、計時回路１１３と同様に、電子時計１００が表示する時刻を計時する。また、計時回路１１３と同様に、ソフトウェアにより構成されてもよいし、専用のハードウェアにより構成されてもよい。計時回路１２３が計時する時刻の種類や形式は、計時回路１１３と同様に任意である。なお、計時回路１２３は、第２制御部１２０の内部に限られず、第２制御部１２０の外部に設けられてもよい。また、計時回路１１３も計時回路１２３も外部の同一の計時回路で、その同一の計時回路を第１制御部１１０と第２制御部１２０とが共用するような構成にしてもよい。
【００１９】
第１通信部１３１は、他の装置（例えばスマートフォン）と無線通信するためのデバイスであり、例えば、Ｂｌｕｅｔｏｏｔｈ（登録商標）  Ｃｌａｓｓｉｃの通信規格に対応した通信デバイスである。
【００２０】
第１表示部１３２は、カラー表示が可能な高精細ディスプレイであり、例えば、カラー高精細ＬＣＤ（Ｌｉｑｕｉｄ  Ｃｒｙｓｔａｌ  Ｄｉｓｐｌａｙ）である。ただし、第１表示部１３２はＬＣＤに限定されるものではなく、例えばＥＬ（Ｅｌｅｃｔｒｏ−Ｌｕｍｉｎｅｓｃｅｎｃｅ）等でもよい。第１表示部１３２は、高精細な時刻の表示や、高機能ＯＳのアプリケーションソフトが実行されることによる画面の表示を行う。
【００２１】
第１操作部１３３は、第１表示部１３２及び第２表示部１３６の上に重ねて備えられたタッチパネルモジュールを備える。第１操作部１３３は、タッチパネルモジュールによりユーザからの入力操作を受け付けて、当該入力操作に応じた電気信号を入力信号として第１制御部１１０に送る。例えば、ユーザが電子時計１００のディスプレイにタッチすると、第１操作部１３３は、割り込み信号（ウェイクアップ信号）を発生させて、ディスプレイにタッチされたことを第１制御部１１０に通知する。そして、当該タッチパネルモジュールへのユーザの接触動作に係る接触位置や接触態様を検出し、検出された接触位置や接触態様に応じた操作信号を第１制御部１１０に送る。第１表示部１３２と第１操作部１３３とにより、高機能ＯＳのＵＩ（Ｕｓｅｒ  Ｉｎｔｅｒｆａｃｅ）が実現される。第１操作部１３３は、ユーザの操作を取得する操作取得部として機能する。
【００２２】
第２操作部１３４は、竜頭やボタンを備える。第２操作部１３４は、竜頭やボタンによりユーザからの入力操作を受け付けて、当該入力操作に応じた電気信号を入力信号として第１制御部１１０及び第２制御部１２０に送る。例えば、第２操作部１３４は、竜頭やボタンによりユーザからの時刻合わせや表示切り替え等の指示を受け付けて、当該指示を第１制御部１１０及び第２制御部１２０に送る。
【００２３】
なお、図１では、第１操作部１３３は第１制御部１１０のみに接続され、第２操作部１３４は第１制御部１１０及び第２制御部１２０に接続されているが、これはあくまでも一例であり、接続先がこの例に限定されるものではない。例えば、第１操作部１３３が第１制御部１１０及び第２制御部１２０に接続されていてもよいし、第２制御部１２０のみに接続されていてもよい。また、第２操作部１３４が第１制御部１１０のみ又は第２制御部１２０のみに接続されていてもよい。
【００２４】
第２通信部１３５も、第１通信部１３１同様に、他の装置（例えばスマートフォン）と無線通信するためのデバイスである。ただし、第２通信部１３５の消費電力は第１通信部１３１の消費電力よりも低く、通信速度は第１通信部１３１よりも遅い。第２通信部１３５は、例えば、Ｂｌｕｅｔｏｏｔｈ（登録商標）  Ｌｏｗ  Ｅｎｅｒｇｙ（以下、ＢＬＥという。）の通信規格に対応した通信デバイスである。
【００２５】
第２表示部１３６は、例えばＬＣＤによるモノクロのセグメント等のディスプレイである。第２表示部１３６は、第１表示部１３２よりも消費電力が低い。第２表示部１３６は、セグメント等により、時刻その他の情報を表示することができる。
【００２６】
センサ部１３７は、加速度センサ、地磁気センサ、気圧センサ等のセンサ類を備える。センサ部１３７が検知した情報に基づき、第２制御部１２０は、電子時計１００の動き、向き、高度等の情報を取得することができる。
【００２７】
通知部１３８は、ブザーやバイブレーションモーター（振動モーター）を備える。通知部１３８は、ブザーを鳴らしたり、バイブレーションモーターで電子時計１００を振動させたりすることにより、例えばアラーム設定した時刻になったことや、何らかのメッセージを受信したこと等をユーザに通知することができる。
【００２８】
電源制御部１４０は、電池１４１からの電源電圧を所望の電圧に変換し、電子時計１００の内部の各デバイスに電力を供給する。電源制御部１４０は、第１制御部１１０及び第２制御部１２０からの指示により、各デバイスに供給する電源（電力供給）のＯＮ／ＯＦＦを行うことが可能である。
【００２９】
以上、電子時計１００の機能構成について説明した。電子時計１００は、図２に示すように、スマートフォン２００とともに、電子機器システム１を構成する。スマートフォン２００は、電子時計１００とＢｌｕｅｔｏｏｔｈ（登録商標）により無線通信接続している。このため、例えば、スマートフォン２００は、受信したメールをＢｌｕｅｔｏｏｔｈ（登録商標）により電子時計１００に送信することができる。
【００３０】
そして、電子時計１００は、上述の高機能ＯＳの上では、高速通信可能な第１通信部１３１を用いることによって、スマートフォン２００から送信されたメールを、メール本文や添付ファイルも含め全て比較的短時間で受信することができ、また、高機能ＯＳの機能を用いることで、例えば、メール本文、又は、メール本文及び添付ファイル等を全て表示することができる。したがって、この場合は、ユーザはスマートフォン２００を確認せずとも、当該メールを電子時計１００で確認することができる。
【００３１】
しかし、電子時計１００は、消費電力を抑えるために、第１通信部１３１や第１制御部１１０を停止（スリープ等）させている場合があり、この場合、第２制御部１２０や第２通信部１３５で処理が行われる。上述のように、第２制御部１２０のプロセッサ１２１は、高機能ＯＳの実装には向かず、また、第２通信部１３５の通信速度は遅い。したがって、電子時計１００が消費電力を抑えている場合には、電子時計１００はプロセッサ１２１の処理速度や第２通信部１３５の通信速度を考慮し、メール本文等を全て受信したりせずに最小限の通信に抑え、電子時計１００をより低消費電力にすることもできる。
【００３２】
したがって、この場合、電子時計１００では、プロセッサ１２１により、メールの着信があったことを示すメール着信アイコンを表示する。もっとも、プロセッサ１２１でどの程度の機能を提供するかは任意であり、この場合に電子時計１００は、メール着信アイコンの表示の代わりに、又は、メール着信アイコンの表示に加えて、メールの送信元や件名を表示するようにしてもよい。電子時計１００と第２通信部１３５で接続している際に、スマートフォン２００がどのような通知信号を電子時計１００に送信するかについては、予めスマートフォン２００に設定されているものとする。
【００３３】
このように、電子時計１００は、プロセッサ１１１が動作している場合は、電子時計１００の全機能を実行することができるが、プロセッサ１１１が動作していない場合には、
当該全機能の中の一部の限定された機能（例えば、時計機能、メール着信アイコン表示機能、歩数機能、生体情報（脈拍等）検知機能等。以下、限定機能という。）のみを実行することができるにとどまる。ただし、限定機能だけを実行できればよい場合は、プロセッサ１１１を動作させる必要がない（プロセッサ１１１をスリープ状態又は電源ＯＦＦ状態にすることが可能）ので、電子時計１００の消費電力は低い値に抑えられる。
【００３４】
電子時計１００の、このような２種類の動作状態について、図３を参照して説明する。ここでは、電子時計１００のプロセッサ１１１（メインＣＰＵ）が動作している動作状態を通常動作状態という。また、プロセッサ１１１が動作していない（プロセッサとしては、プロセッサ１２１（サブＣＰＵ）のみが動作している）動作状態を低消費電力動作状態という。また、低消費電力動作状態のことを電力抑制状態ともいう。
【００３５】
低消費電力動作状態では、第２制御部１２０、第１操作部１３３、第２操作部１３４、第２通信部１３５、第２表示部１３６、センサ部１３７、通知部１３８及び電源制御部１４０が動作する。そして、図３に示すように、第２表示部１３６によるモノクロのセグメントでの時刻表示が行われる。また、第２通信部１３５により、低速ながらＢＬＥの低消費電力での通信を行うことができる。そして、低消費電力のプロセッサ１２１と低機能ＯＳの上で限定機能の処理が可能である。機能が限定される代わりに、ハードウェアとして、プロセッサ１２１、ＢＬＥ、モノクロセグメントＬＣＤでの動作となるため、電子時計１００の電力消費は小さくなる。
【００３６】
また、通常動作状態では、低消費電力動作状態で動作しているハードウェアに加え、第１制御部１１０、第１通信部１３１及び第１表示部１３２が動作する。ただし、通常動作状態では、第２通信部１３５及び第２表示部１３６は、スリープ状態又は電源ＯＦＦ状態であってもよい。そして、通常動作状態では、図３に示すように、第１表示部１３２による高精細カラーの表示が行われる。また、第１通信部１３１により、Ｂｌｕｅｔｏｏｔｈ（登録商標）  Ｃｌａｓｓｉｃの高速な通信を行うことができる。そして、高速なプロセッサ１１１と高機能ＯＳの上で電子時計１００の全機能の処理が可能である。ただし、ハードウェアとして、プロセッサ１１１、Ｂｌｕｅｔｏｏｔｈ（登録商標）  Ｃｌａｓｓｉｃ、カラー高精細ＬＣＤでの動作となるため、電子時計１００の電力消費は低消費電力動作状態に比べて大きくなる。
【００３７】
なお、図３の「表示例」を見ると分かるように、通常動作状態ではモノクロセグメントＬＣＤでの表示は見えず、低消費電力動作状態ではカラー高精細ＬＣＤでの表示は見えない。これは、図４に示すように、電子時計１００は、表示部が第１表示部１３２の上に第２表示部１３６を重ね合わせた構造になっており、通常動作状態時に第２表示部１３６の表示を透過状態にすることにより実現される。通常動作状態時は、第２表示部１３６が透過状態になるので、目Ｅから見ると、第１表示部１３２の表示だけが見えることになる。また、低消費電力動作状態時は、第１表示部１３２は駆動されていないため、目Ｅから見ると、第２表示部１３６の表示だけが見えることになる。このような構成にすることにより、電子時計１００は、ユーザが所望する情報の表示と、消費電力の削減とを両立させることができる。
【００３８】
電子時計１００は、上述の２種類の動作状態を状況に応じて切り替えて動作している。通常動作状態から低消費電力動作状態に切り替えられる状況の例としては、ユーザ操作がない状態が所定時間（例えば５秒、１０秒、１分等、ユーザ等により設定された時間）継続している状況がある。また、低消費電力動作状態から通常動作状態へと切り替えられる状況の例としては、ユーザが電子時計１００のタッチパネルを操作した状況や、スマートフォン２００から電話を着信したことを示す通知信号を受信した状況がある。
【００３９】
次に、電子時計１００が、通常動作状態から低消費電力動作状態に切り替える際の処理（低消費電力動作状態移行処理）について、図５を参照して説明する。
【００４０】
まず、第１制御部１１０は、計時回路１１３が計時している時刻情報と、第１通信部１３１での通信状態の情報（通信相手との接続情報等）と、を取得する（ステップＳ１１１）。そして、当該時刻情報及び通信状態の情報とともに、低消費電力動作状態に移行することを知らせる通知（電力抑制通知）を第２制御部１２０に送信する（ステップＳ１１２）。
【００４１】
そして、第１制御部１１０は、第１通信部１３１及び第１表示部１３２をスリープ状態に移行させ（ステップＳ１１３）、自制御部（第１制御部１１０）もスリープ状態に移行させる（ステップＳ１１４）。
【００４２】
一方、第２制御部１２０は、通常動作状態においては、第１制御部１１０から電力抑制通知が送信されるのを待ち続けている（ステップＳ１２１）。第２制御部１２０は、電力抑制通知を受信しなければ（ステップＳ１２１；Ｎｏ）、ステップＳ１２１に戻る。また、第２制御部１２０は、電力抑制通知を受信したら（ステップＳ１２１；Ｙｅｓ）、当該通知に含まれる時刻情報に基づき計時回路１２３の計時する時刻情報を計時回路１１３の計時していた時刻に同期させる（ステップＳ１２２）。
【００４３】
そして当該通知に含まれる通信状態の情報に基づき、第１通信部１３１で通信していた相手との通信を第２通信部１３５で再開可能にする（ステップＳ１２３）。そして、低消費電力動作状態移行処理を終了する。なお、ステップＳ１２２とステップＳ１２３の処理の順番は任意であり、ステップＳ１２３の処理を行ってからステップＳ１２２の処理を行ってもよい。
【００４４】
以上の低消費電力動作状態移行処理により、電子時計１００は、通常動作状態から低消費電力動作状態に切り替わる。低消費電力動作状態移行処理は、電力抑制移行ステップとも呼ばれる。なお、第１通信部１３１の通信状態の情報に基づいて第２通信部１３５での通信を再開するのは困難な場合も考えられる。このような場合は、ステップＳ１１１で通信相手との通信を一度切断し、ステップＳ１２３で当該通信相手と再度接続する処理を行う。
【００４５】
次に、電子時計１００が、低消費電力動作状態から通常動作状態に切り替える際の処理（通常動作状態移行処理）について、図６を参照して説明する。
【００４６】
まず、第２制御部１２０は、第１制御部１１０に割り込み信号（ウェイクアップ信号）を送信して第１制御部１１０をスリープ状態から復帰させる（ステップＳ２２１）。なお、低消費電力動作状態から通常動作状態への切り替えは、ユーザが第１操作部１３３（タッチパネル）をタッチした際にも行われるが、この場合は、第１操作部１３３が第１制御部１１０に割り込み信号（ウェイクアップ信号）を送信し、第１制御部１１０をスリープ状態から復帰させる。そして、第１操作部１３３からの割り込み信号でスリープ状態から復帰した第１制御部１１０は、第２制御部１２０に対して後述する通常移行通知を送信するように依頼する通知（送信依頼通知）を送信する。そして、当該送信依頼通知を受信した第２制御部１２０は、通常動作状態移行処理のステップＳ２２２から処理を開始する。
【００４７】
第１制御部１１０に割り込み信号を送信した第２制御部１２０、又は、第１制御部１１０から送信依頼通知を受信した第２制御部１２０は、計時回路１２３が計時している時刻情報と、第２通信部１３５での通信状態の情報（通信相手との接続情報等）と、を取得する（ステップＳ２２２）。
【００４８】
そして、第２制御部１２０は、当該時刻情報及び通信状態の情報とともに、通常動作状態に移行することを知らせる通知（通常移行通知）を第１制御部１１０に送信する（ステップＳ２２３）。そして、第２制御部１２０は、第２表示部１３６を透過状態にし（ステップＳ２２４）、第２通信部１３５をスリープ状態に移行させる（ステップＳ２２５）。なお、ステップＳ２２４とステップＳ２２５の処理の順番は任意であり、ステップＳ２２５の処理を行ってからステップＳ２２４の処理を行ってもよい。
【００４９】
一方、第１制御部１１０は割り込み信号（ウェイクアップ信号）を受信するとスリープ状態から復帰し、通常動作状態移行処理を開始する。そして、第２制御部１２０から通常移行通知が送信されるのを待つ（ステップＳ２１１）。第１制御部１１０は通常移行通知を受信しなければ（ステップＳ２１１；Ｎｏ）、ステップＳ２１１に戻る。また、第１制御部１１０は、通常移行通知を受信したら（ステップＳ２１１；Ｙｅｓ）、当該通知に含まれる時刻情報に基づき、計時回路１１３の計時する時刻情報を計時回路１２３の計時していた時刻に同期させる（ステップＳ２１２）。
【００５０】
そして、第１制御部１１０は、当該通知に含まれる通信状態の情報に基づき、第２通信部１３５で通信していた相手との通信を第１通信部１３１で再開可能にする（ステップＳ２１３）。そして、通常動作状態移行処理を終了する。なお、ステップＳ２１２とステップＳ２１３の処理の順番は任意であり、ステップＳ２１３の処理を行ってからステップＳ２１２の処理を行ってもよい。
【００５１】
以上の通常動作状態移行処理により、電子時計１００は、低消費電力動作状態から通常動作状態に切り替わる。通常動作状態移行処理は、通常状態移行ステップとも呼ばれる。なお、第２通信部１３５の通信状態の情報に基づいて第１通信部１３１での通信を再開するのは困難な場合も考えられる。このような場合は、ステップＳ２２２で通信相手との通信を一度切断し、ステップＳ２１３で当該通信相手と再度接続する処理を行う。
【００５２】
次に、電子時計１００の動作状態を状況に応じて切り替える処理である動作状態切替処理について図７を参照して説明する。動作状態切替処理は、電子時計１００が起動すると、１つのスレッドとして起動し、他のスレッドと並行して処理が開始される。なお、図７では、電子時計１００は起動するとまず通常動作状態になることを想定している。もし、電子時計１００が起動するとまず低消費電力動作状態になるのであれば、動作状態切替処理は、ステップＳ１０３から開始されるようにすればよい。
【００５３】
第１制御部１１０は、第１操作部１３３及び第２操作部１３４からの信号に基づき、ユーザ操作がない状態が所定時間（例えば３秒）継続したか否かを判定する（ステップＳ１０１）。ユーザ操作がない状態が所定時間以上継続していなければ（ステップＳ１０１；Ｎｏ）、ステップＳ１０１に戻る。
【００５４】
ユーザ操作がない状態が所定時間以上継続していれば（ステップＳ１０１；Ｙｅｓ）、第１制御部１１０及び第２制御部１２０は、上述した低消費電力動作状態移行処理を行い、電子時計１００は、低消費電力動作状態へ移行する（ステップＳ１０２）。
【００５５】
次に、第２制御部１２０は、第２通信部１３５がスマートフォン２００から通知信号を受信したか否かを判定する（ステップＳ１０３）。通知信号とは、例えば、スマートフォン２００が電話やメールを着信したことを通知する信号である。通知信号を受信していなければ（ステップＳ１０３；Ｎｏ）、第１操作部１３３は、ユーザによるタッチパネルモジュールへのタッチを検出したかを判定する（ステップＳ１０４）。タッチを検出していなければ（ステップＳ１０４；Ｎｏ）、ステップＳ１０３に戻る。タッチを検出したら（ステップＳ１０４；Ｙｅｓ）、ステップＳ１０７に進む。
【００５６】
一方、ステップＳ１０３で第２通信部１３５が通知信号を受信していれば（ステップＳ１０３；Ｙｅｓ）、第２制御部１２０は、当該通知信号に高優先度を示す情報が含まれるか否かを判定する（ステップＳ１０５）。優先度は、ユーザ、メール送信者、電子機器システム１等により予め設定されている。例えば、電話の着信を知らせる通知信号や、ユーザが優先度を高く設定した送信者からのメールの通知信号には、高優先度を示す情報が含まれる。ステップＳ１０５において、第２制御部１２０は、優先度取得部として機能する。
【００５７】
当該通知信号に高優先度を示す情報が含まれなければ（ステップＳ１０５；Ｎｏ）、第２制御部１２０は、第２表示部１３６にアイコンを表示し（ステップＳ１０６）、ステップＳ１０３に戻る。ここで、アイコンとは、例えばメールの着信を示す図柄であり、第２表示部１３６には、アイコンの各図柄がセグメントにより設定されているものとする。
【００５８】
当該通知信号に高優先度を示す情報が含まれていれば（ステップＳ１０５；Ｙｅｓ）、第２制御部１２０は、上述した通常動作状態移行処理を行い、第１制御部１１０をスリープ状態から復帰させ、電子時計１００は、通常動作状態へ移行する（ステップＳ１０７）。そして、第１制御部１１０は、第１通信部でスマートフォン２００とデータ通信を開始し（ステップＳ１０８）、ユーザの指示に従って、メール本文の受信等を行う。そして、ステップＳ１０１に戻る。
【００５９】
以上、動作状態切替処理について説明した。以上説明した動作状態切替処理により、電子時計１００は、できるだけ長い時間、低消費電力動作状態で動作しつつ、ユーザが限定機能以外の機能を実行しようとした時にはすぐに通常動作状態に移行する。したがって、電子時計１００は、ユーザに機能が限定されている状態であることを意識させることなく、電池寿命を長時間化させることができる。
【００６０】
なお、図７に示す上述の動作状態切替処理では、説明が煩雑になるのを防ぐために、低消費電力動作状態から通常動作状態への移行のトリガーとして、通知信号の受信判定（ステップＳ１０３）と、タッチの検出判定（ステップＳ１０４）のみを行っているが、これらに限られない。例えば、歩数等の情報をユーザがカラーディスプレイ（第１表示部１３２）で確認しようとして、手首の動きによって（ジェスチャー動作によって）カラーディスプレイを表示させるような場合も含まれる。この場合は、第２制御部１２０は、センサ部１３７が備える加速度センサの検出値等に基づいてジェスチャー動作を判定し、ジェスチャー動作が検出された場合には、ステップＳ１０７の処理に進む。このようにすることによって、電子時計１００は、ジェスチャー動作によっても通常動作状態に切り替わるので、低消費電力動作状態のせいでユーザに操作上の違和感を与える心配をより少なくすることができる。
【００６１】
また、予め、ユーザが「常にアイコン表示希望（電子時計１００ができるだけ長い時間、低消費電力動作状態（電力抑制状態）を維持することを希望）」であるか否かの設定を行っておき、図７のステップＳ１０５の直前で、第２制御部１２０が「ユーザによる設定は、常にアイコン表示希望であるか？」を判定する変形例も考えられる。この変形例では、当該判定がＹｅｓならステップＳ１０６に、ＮｏならステップＳ１０５に、それぞれ進むことになる。当該判定をする際、第２制御部１２０は、ユーザ設定取得部として機能する。
【００６２】
この変形例では、ユーザが「常にアイコン表示希望」という設定を行っている場合は、スマートフォン２００から送信された通知信号を受信しても、電子時計１００はアイコン表示を行う低消費電力動作状態を維持し、ユーザによるタッチ操作やジェスチャー動作が検出されて初めてステップＳ１０７の処理に進む。このようにすることによって、ユーザ自らが通常動作状態への切り替えをしない限り、電子時計１００は、低消費電力動作状態を維持することができ、その分、さらに電池寿命を長期化させることができる。
【００６３】
また、図７に示す上述の動作状態切替処理では、説明を省略したが、ステップＳ１０７で通常状態に移行する際、第２制御部１２０は、通知部１３８を制御して、ユーザに通常状態への移行を通知してもよい。例えば所定の音を鳴らしたり、所定の振動パターンで電子時計１００を振動させたりさせることが考えられる。同様に、ステップＳ１０６で第２表示部１３６にアイコンを表示する際も、第２制御部１２０は、通知部１３８を制御して、ユーザにアイコンが表示されたことを通知してもよい。このようにすることにより、低消費電力動作状態で動作している場合でも、ユーザにすぐに通知しなければならない情報を受信した際には、当該情報をすぐにユーザに通知することができる。
【００６４】
なお、本発明は、上述の実施形態に限られるものではなく、様々に組み合わせたり変更したりすることが可能である。
【００６５】
例えば、上述の実施形態では、第１通信部１３１がＢｌｕｅｔｏｏｔｈ（登録商標）  Ｃｌａｓｓｉｃの通信規格に対応した通信デバイスで、第２通信部１３５がＢＬＥの通信規格に対応した通信デバイスである例で説明したが、これに限られない。例えば、第１通信部１３１がＩＥＥＥ８０２．１１ｎ等の高速無線ＬＡＮの通信規格に対応した通信デバイスで、第２通信部１３５がＢｌｕｅｔｏｏｔｈ（登録商標）  Ｃｌａｓｓｉｃの通信規格に対応した通信デバイスであるような実施形態も考えられる。第２通信部１３５の消費電力が第１通信部１３１の消費電力よりも低くなるような関係であれば、電子時計１００は、要求仕様を満たす任意の通信規格に対応した通信デバイスを利用することができる。
【００６６】
また、第１表示部１３２と第２表示部１３６との関係も同様であり、第２表示部１３６の消費電力が第１表示部１３２の消費電力よりも低ければ、電子時計１００は、要求仕様を満たす任意の第１表示部１３２及び第２表示部１３６を利用することができる。同様に、第２制御部１２０の消費電力が第１制御部１１０の消費電力よりも低ければ、電子時計１００は、要求仕様を満たす任意の第１制御部１１０及び第２制御部１２０を利用することができる。
【００６７】
また、上述の実施形態では、第１通信部１３１及び第１制御部１１０をスリープ状態にし、第２制御部１２０又は第１操作部１３３が第１制御部１１０をスリープ状態から復帰させることを説明したが、これに限られない。例えば、第１制御部１１０はスリープ状態に移行するが、第１通信部１３１は、スリープ状態に移行せず無線通信接続を維持し、電子時計１００とスマートフォン２００の無線通信接続を維持するため以外の信号又は情報を第１通信部１３１が受信した場合等に、第１通信部１３１が第１制御部１１０をスリープ状態から復帰させてもよい。
【００６８】
また、上述の実施形態では、第１制御部１１０及び第２制御部１２０を内蔵した電子機器の一例として電子時計１００を挙げて説明しているが、本発明は、電子時計に限られず、スマートウォッチ、スマートフォン、ウェアラブルデバイス等、能力が高く消費電力の大きな第１のデバイス群（第１制御部１１０、第１通信部１３１、第１表示部１３２）と、当該第１のデバイス群よりも能力は低いが消費電力の小さい第２のデバイス群（第２制御部１２０、第２通信部１３５、第２表示部１３６）と、を搭載する任意の電子機器に適用することができる。
【００６９】
また、第１制御部１１０及び第２制御部１２０が実行するプログラムは、例えば、フレキシブルディスク、ＣＤ（Ｃｏｍｐａｃｔ  Ｄｉｓｃ）−ＲＯＭ、ＤＶＤ（Ｄｉｇｉｔａｌ  Ｖｅｒｓａｔｉｌｅ  Ｄｉｓｃ）−ＲＯＭ、メモリカード等のコンピュータ読み取り可能な記憶媒体に格納して適用できる。さらに、プログラムを搬送波に重畳し、インターネット等の通信媒体を介して適用することもできる。例えば通信ネットワーク上の掲示板（ＢＢＳ：Ｂｕｌｌｅｔｉｎ  Ｂｏａｒｄ  Ｓｙｓｔｅｍ）にプログラムを掲示して配信してもよい。そして、このプログラムを起動し、ＯＳ（Ｏｐｅｒａｔｉｎｇ  Ｓｙｓｔｅｍ）の制御下で、他のアプリケーションプログラムと同様に実行することにより、上記の処理を実行できるように構成してもよい。
【００７０】
その他、上記実施の形態で示した構成、制御手順や表示例などの具体的な細部は、本発明の趣旨を逸脱しない範囲において適宜変更可能である。
【００７１】
本発明のいくつかの実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記の番号は、この出願の願書に最初に添付した特許請求の範囲の通りである。
【００７２】
（付記１）
第１表示部と、
前記第１表示部より消費電力の低い第２表示部と、
第１通信部と、
前記第１通信部より消費電力の低い第２通信部と、
第１制御部と、
前記第１制御部より消費電力の低い第２制御部と、
ユーザの操作を取得すると、消費電力を抑えるスリープ状態から通常の動作状態である通常状態へ前記第１制御部を復帰させるウェイクアップ信号を送信する操作取得部と、を備え、
前記第１制御部は、
消費電力を抑える動作状態である電力抑制状態への移行の条件が満たされると、前記第２制御部に電力抑制通知を送信し、前記第１表示部での表示と前記第１通信部での通信とを停止し、前記スリープ状態に移行し、
前記第２制御部又は前記操作取得部から前記ウェイクアップ信号を受信すると前記スリープ状態から前記通常状態へ復帰し、前記第１表示部での表示と前記第１通信部での通信とを開始し、
前記第２制御部は、
前記第１制御部から前記電力抑制通知を受信すると、前記第２表示部での表示と前記第２通信部での通信とを開始し、
前記通常状態への移行の条件が満たされると、前記第１制御部に前記ウェイクアップ信号を送信し、前記第２表示部での表示と前記第２通信部での通信とを停止する、
電子機器。
【００７３】
（付記２）
前記電力抑制状態への移行の条件には、所定の時間、前記操作取得部で前記操作が取得されないことが含まれる、
付記１に記載の電子機器。
【００７４】
（付記３）
前記通常状態への移行の条件には、前記第２通信部で受信した情報が電話の着信を示す情報であることが含まれる、
付記１又は２に記載の電子機器。
【００７５】
（付記４）
さらに、前記第２通信部で受信した情報の優先度を取得する優先度取得部を備え、
前記通常状態への移行の条件には、前記優先度取得部が取得した優先度が高い前記情報を前記第２通信部で受信したことが含まれる、
付記１から３のいずれか１つに記載の電子機器。
【００７６】
（付記５）
前記第２制御部は、前記第２通信部で受信した情報の優先度が高くない場合、当該情報を受信したことを示すアイコンを前記第２表示部に表示する、
付記４に記載の電子機器。
【００７７】
（付記６）
さらに、加速度を検出する加速度センサを備え、
前記通常状態への移行の条件には、前記加速度センサが検出した値が所定の動きを示していると前記第２制御部が判定したことが含まれる、
付記１から５のいずれか１つに記載の電子機器。
【００７８】
（付記７）
さらに、ユーザが前記電力抑制状態の維持を希望するか否かの設定を取得するユーザ設定取得部を備え、
前記ユーザ設定取得部で取得した前記設定が、前記電力抑制状態の維持を希望するである場合は、前記第２制御部は、前記第２通信部で受信した情報が前記通常状態への移行の条件を満たす場合でも、前記第１制御部に前記ウェイクアップ信号を送信せず、前記第２表示部での表示と前記第２通信部での通信とを維持する、
付記１から６のいずれか１つに記載の電子機器。
【００７９】
（付記８）
さらに、前記動作状態が切り替わることを振動又は音によりユーザに通知する通知部を備え、
前記第２制御部は、前記通常状態への移行の条件が満たされると、前記通知部によりユーザに通知する、
付記１から７のいずれか１つに記載の電子機器。
【００８０】
（付記９）
第１表示部と、前記第１表示部より消費電力の低い第２表示部と、第１通信部と、前記第１通信部より消費電力の低い第２通信部と、第１制御部と、前記第１制御部より消費電力の低い第２制御部と、を備える電子機器の制御方法であって、
消費電力を抑える動作状態である電力抑制状態への移行の条件が満たされると、制御の主体を前記第２制御部に切り替え、前記第１表示部での表示と前記第１通信部での通信とを停止し、前記第１制御部を消費電力を抑えるスリープ状態に移行させ、前記第２表示部での表示と前記第２通信部での通信とを開始する、電力抑制移行ステップと、
通常の動作状態である通常状態への移行の条件が満たされると、前記第１制御部を前記スリープ状態から通常の動作状態である通常状態へ復帰させて制御の主体を前記第１制御部に切り替え、前記第２表示部での表示と前記第２通信部での通信とを停止し、前記第１表示部での表示と前記第１通信部での通信とを開始する、通常状態移行ステップと、
を備える制御方法。
【００８１】
（付記１０）
第１表示部と、前記第１表示部より消費電力の低い第２表示部と、第１通信部と、前記第１通信部より消費電力の低い第２通信部と、第１制御部と、前記第１制御部より消費電力の低い第２制御部と、を備える電子機器のコンピュータに、
消費電力を抑える動作状態である電力抑制状態への移行の条件が満たされると、制御の主体を前記第２制御部に切り替え、前記第１表示部での表示と前記第１通信部での通信とを停止し、前記第１制御部を消費電力を抑えるスリープ状態に移行させ、前記第２表示部での表示と前記第２通信部での通信とを開始する、電力抑制移行ステップ、及び、
通常の動作状態である通常状態への移行の条件が満たされると、前記第１制御部を前記スリープ状態から通常の動作状態である通常状態へ復帰させて制御の主体を前記第１制御部に切り替え、前記第２表示部での表示と前記第２通信部での通信とを停止し、前記第１表示部での表示と前記第１通信部での通信とを開始する、通常状態移行ステップ、
を実行させるためのプログラム。
【符号の説明】
【００８２】
１…電子機器システム、１００…電子時計、１１０…第１制御部、１１１，１２１…プロセッサ、１１２，１２２…メモリ、１１３，１２３…計時回路、１２０…第２制御部、１３１…第１通信部、１３２…第１表示部、１３３…第１操作部、１３４…第２操作部、１３５…第２通信部、１３６…第２表示部、１３７…センサ部、１３８…通知部、１４０…電源制御部、１４１…電池、２００…スマートフォン、Ｅ…目
【図１】
2020169861.tif 000003
【図２】
2020169861.tif 000004
【図３】
2020169861.tif 000005
【図４】
2020169861.tif 000006
【図５】
2020169861.tif 000007
【図６】
2020169861.tif 000008
【図７】
2020169861.tif 000009